(57)【特許請求の範囲】
【請求項１】
本体へ取り付けて容器を把持する把持手段と、前記本体へ載置された前記容器の口元へ可撓性を有する蓋を冠着する施蓋手段とを備えさせた施蓋装置にあって、
前記把持手段は、前記容器の外周部に当接する開閉自在の一対の把持体と、該一対の把持体に設けて前記施蓋手段により容器の口元に蓋が被せられたとき、該蓋の外周縁が当接し、該外周縁を上方へ持ち上げる規制段部とからなることを特徴とする施蓋装置。
【請求項２】
本体へ載置された容器の外周部を、開閉自在の一対の把持体からなる把持手段によって保持させ、施蓋手段により可撓性を有する蓋の上面を保持して、前記容器口元の上方より降下させて該容器口元に被せると共に、前記一対の把持体に設けた規制段部に前記蓋の外周縁を当接させ、該外周縁を上方へ持ち上げて該蓋と前記容器との間に介在した空気を抜いた後、前記把持手段を解放させて、該把持体の規制段部への前記蓋の外周縁の当接を解除し、該外周縁を容器口元の係止縁に係合させたことを特徴とする施蓋方法。
【発明の詳細な説明】
【０００１】
【産業上の利用分野】
本発明は、可撓性を有する蓋を、容器の口元へ簡単かつ確実に取り付けることができる施蓋装置およびその方法に関する。
【０００２】
【従来の技術】
現今、内容物を密封包装した缶の口元に、切除等による開缶後の内容物の再使用のために、この開口部を閉塞するための合成樹脂製等の柔らかい上蓋が冠着されている容器が多く市場提供されている。
【０００３】
この上蓋は、図４に示すように、缶５０の真上から施蓋機５１により押し込むため、上蓋５２と容器５３の間５４に空気が溜まった状態で密封されるので、同図に示すように、この空気圧により上蓋５２が外方へ膨らんでしまう不都合があった。
【０００４】
【発明が解決しようとする課題】
本発明は、前記した問題点を解決するためになされたもので、容器の外周部を把持手段によって保持させ、施蓋手段により蓋の上面を保持して、前記容器口元の上方より降下させて該容器口元に被せると共に、把持手段に設けた規制段部に蓋の外周縁を当接させ、該外周縁を上方へ持ち上げて該蓋と容器との間に介在した空気を抜いた後、把持手段を開放させて、該把持体の規制段部への蓋の外周縁の当接を解除し、該外周縁を容器口元の係止縁に係合させることにより、可撓性を有する蓋を容器の口元へ簡単かつ確実で、しかも、蓋と容器との間に空気が入らないように取り付けることができる施蓋装置およびその方法を提供することを目的としている。
【０００５】
【課題を解決するための手段】
前記した目的を達成するための本発明の手段は、
本体へ取り付けて容器を把持する把持手段と、前記本体へ載置された前記容器の口元へ可撓性を有する蓋を冠着する施蓋手段とを備えさせた施蓋装置にあって、
前記把持手段は、前記容器の外周部に当接する開閉自在の一対の把持体と、該一対の把持体に設けて前記施蓋手段により容器の口元に蓋が被せられたとき、該蓋の外周縁が当接し、該外周縁を上方へ持ち上げる規制段部とからなる施蓋装置の構成にある。
【０００６】
そして、
本体へ載置された容器の外周部を、開閉自在の一対の把持体からなる把持手段によって保持させ、施蓋手段により可撓性を有する蓋の上面を保持して、前記容器口元の上方より降下させて該容器口元に被せると共に、前記一対の把持体に設けた規制段部に前記蓋の外周縁を当接させ、該外周縁を上方へ持ち上げて該蓋と前記容器との間に介在した空気を抜いた後、前記把持手段を開放させて、該把持体の規制段部への前記蓋の外周縁の当接を解除し、該外周縁を容器口元の係止縁に係合させた施蓋方法にある。
【０００７】
【実施例】
次に、本発明に関する施蓋装置およびその方法の一実施例を図面に基づいて説明する。
図１においてＡは円筒缶等の容器ｂに対する施蓋装置で、本体１へ取り付けて容器ｂを把持する把持手段２と、本体１へ載置された容器ｂの口元ｂ１へ蓋ｃを冠着する施蓋手段３とにより基本的に構成される。
なお、蓋ｃは、可撓性を有する、例えば、合成樹脂製等の軟らかなで、かつ、復元性が良好な素材により成形されているもので、内容物を密封包装した容器ｂの口元ｂ１に、缶蓋の切除等によって開缶した後に、残りの内容物の再使用のために、この開口部を閉塞するためのものである。
【０００８】
前記した把持手段２は、図２に示すように、一対の把持体４，４と規制段部５，５とよりなるもので、このうち、一対の把持体４，４は、容器ｂの外周部（胴部）へ接離自在に当接するものであり、所定角度による開閉自在に構成されているものであって、容器ｂの外周部（胴部）へ当接したとき、密着状態で、馴染むような内周部を有している。
【０００９】
そして、この一対の把持体４，４は、本体１上へ立設させた支軸６，６へそれぞれ取り付けてあり、該支軸６，６には、扇形ギア等の一対の連係部材７，７を設けて、一方の支軸６に連係させた、図示してないカム駆動やモータ等の回動駆動力を両支軸６，６を同調回動させて、該一対の把持体４，４が相対的に開閉運動するようにしてあるもので、容器ｂの把持中心位置は、常に本体１の一定位置において行われる。
【００１０】
更に、該一対の把持体４，４の上部には、後記する施蓋手段３により保持された蓋ｃの装着ガイド８，８を設けてあって、該蓋ｃの保持状態のセンタリングが不正確であっても、この装着ガイド８，８によって補正されて均一に冠着されるもので、内方（中心方向）へ向く下り勾配の斜面に形成してある。
【００１１】
また、前記した規制段部５，５は、一対の把持体４，４に設けて施蓋手段３により容器ｂの口元ｂ１に蓋ｃが被せられたとき、該蓋ｃの外周縁ｃ１が当接し、図３（ａ）に示すように、該外周縁ｃ１をその可撓性により変形させて、上方へ持ち上げる作用を行うもので、口元環状部の係止縁ｂ２に蓋ｃの突縁ｃ２が係合したときの、該突縁ｃ２よりこの規制段部５面が上方に位置するように形成されている。
なお、この蓋ｃの外周縁ｃ１は、前記規制段部５より外れたとき、容器ｂの口元ｂ１に冠着され、かつ、図３（ｂ）に示すように、この口元環状部の係止縁ｂ２にその突縁ｃ２が係合する。
【００１２】
また、この規制段部５，５にあって、蓋ｃの外周縁ｃ１へ当接する面は、必ずしもその全周部でなくてもよく、所定間隔の小割状態に形成して複数箇所に設けたり、あるいは、それぞれの把持体４，４において１箇所に設けてもよい。
【００１３】
前記した施蓋手段３は、本体１へ、図示してない昇降手段によって昇降自在に支承される主体９の下側に、蓋ｃより小径でかつ、容器ｂの口元ｂ１より小径の押さえ体１０を取り付けてあるもので、この押さえ体１０は、該蓋ｃに対して略全体へ当接するようにして、均一な押さえ力が与えられるようにしてある。
【００１４】
更に、この押さえ体１０の内側には、蓋ｃを吸着保持する保持部材１１を設けてあって、該保持部材１１に吸着力を与える吸引管１２を主体９の中心部に取り付けてあり、この吸引管１２に接続した吸引源（図示せず）からのバキュームによって蓋ｃを吸着保持する。
【００１５】
したがって、前記のように構成される本発明実施例の施蓋装置Ａおよび施蓋方法は、以下に述べる作用を奏する。
まず、本体１へ容器ｂを供給して、該容器ｂの外周部を、把持手段２における一対の把持体４，４により保持させて妄動しないようにしてある。
【００１６】
この状態で、施蓋手段３により蓋ｃの上面を吸着保持して、下方において待機する容器ｂの口元ｂ１の上方より図示しない昇降手段により降下させると、該蓋ｃは把持手段２における一対の把持体４，４の装着ガイド８に案内されて容器口元ｂ１へ正しく対応する。
【００１７】
更に、施蓋手段３を降下させると、その押さえ体１０に当接する蓋ｃの内面は口元ｂ１の上縁に当たるが、一方、該蓋ｃの外周縁ｃ１における突縁ｃ２が、図３（ａ）に示すように、規制段部５，５に当接する。
【００１８】
すると、蓋ｂの中央部は押さえ体１０により押さえられているが、該外周縁ｃ１はその軟質の可撓性により変形して上方に持ち上げられるもで、口元ｂ１の上縁と蓋ｃ内面とに、図３（ａ）に示すように、隙間ｓが形成されて、蓋ｃと容器ｂ上面との間に過剰に介在しようとする空気がこの隙間ｓから抜かれ、過剰な空気は取り除かれる。
【００１９】
このとき、把持手段２の回動による容器ｂの把持を開放させると、蓋ｃの外周縁ｃ１における突縁ｃ２は、把持体４，４の規制段部５，５から外れ、該蓋ｂの持つ可撓性（バネ性）により前記変形状態が復元されて、図３（ｂ）に示すように、該外周縁ｃ１は容器口元ｂ１の係止縁ｂ２に係合され冠着が完了される。
【００２０】
【発明の効果】
前述のように構成される本発明は、本体へ載置された容器の外周部を、開閉自在の一対の把持体からなる把持手段によって保持させ、施蓋手段により可撓性を有する蓋の上面を保持して、前記容器口元の上方より降下させて該容器口元に被せると共に、前記一対の把持体に設けた規制段部に前記蓋の外周縁を当接させ、該外周縁を上方へ持ち上げて該蓋と前記容器との間に介在した空気を抜いた後、前記把持手段を解放させて、該把持体の規制段部への前記蓋の外周縁の当接を解除し、該外周縁を容器口元の係止縁に係合させることにより、蓋の容器への冠着に際して、蓋と容器との間に過剰に空気が封入されることがなく、これに起因する蓋の膨らみを確実に解消して、正確で安定した施蓋を行うことができる格別な効果を奏するものである。
【図面の簡単な説明】
【図１】本発明に関する施蓋方法を採用した施蓋装置の一実施例の要部を示す縦断正面図である。
【図２】図１における施蓋装置の把持手段を示す要部の平面図である。
【図３】図１における施蓋装置の作動状態を示す説明図である。
【図４】従来の施蓋機を示す要部の説明図である。
【符号の説明】
ｂ      容器
ｂ１    口元
ｂ２    係止縁
ｃ      蓋
ｃ１    外周縁
１      本体
２      把持手段
３      施蓋手段
４      把持体
５      規制段部
【図１】
0003558554.tif 000002
【図２】
0003558554.tif 000003
【図３】
0003558554.tif 000004
【図４】
0003558554.tif 000005